(57)【特許請求の範囲】
【請求項１】
コの字状断面をなす本体片の端部に９０°折曲されて一対の開口片が対向状に形成され、各開口片には折り返し片がそれぞれ折り返して形成され、前記一対の開口片間に開口部が形成されてなる支柱に対し、側縁側に９０°折曲されて側縁片が形成され、側縁片の内側には折り返されて折り返し片が形成されてなる一対の壁パネルを連結する方法であって、
シール片の表面側に外側に突出した鍔縁を有し、シール片の内端には折り返し鉤状に引っ掛け片が一体形成された目地材を、前記引っ掛け片を壁パネルの折り返し片に引っ掛けて、壁パネルの側縁片の外側に前記シール片を当接状態とさせて、予め一方側の壁パネルに取り付けておき、
他方側の壁パネルの側縁片を前記支柱の開口部内側へ差し込み、該壁パネルの折り返し片を支柱の折り返し片に略直交状に当接させて、該他方側の壁パネルを支柱に取り付け、この状態で、目地材を予め取り付けた一方側の壁パネルの側縁片を前記支柱の開口部内に差し込み、該壁パネルの折り返し片を支柱の折り返し片に当接させて、前記一対の壁パネルの各側縁片間に前記目地材を挟み込ませることを特徴とする壁パネルの連結方法。
【発明の詳細な説明】
【技術分野】
【０００１】
本発明は、壁パネルの連結方法に関するものである。
【背景技術】
【０００２】
従来、一対の壁パネルを支柱に連結する方法として、特許文献１に開示されているような方法がある。
また、壁パネルを連結する別の方法として、特許文献２に開示されているような方法も存在する。
【特許文献１】実開平６−４０１１５号公報
【特許文献２】実用新案登録第２５１０５４２号公報
【発明の開示】
【発明が解決しようとする課題】
【０００３】
従来の方法では、壁パネルを連結させた後、連結部にシリコンを塗布してシールを行っており、シリコンを塗布する手間がかかり、施工性が悪く、また、シリコンが不均一に塗布されると連結部の見栄え性が悪化するという問題点があった。
【課題を解決するための手段】
【０００４】
本発明は上記従来の問題点に鑑み案出したものであって、壁パネルを連結する連結作業と同時にシール作業を完了することができ、しかも、表（室内）側から良好に作業ができる壁パネルの連結方法を提供せんとするものであり、請求項１は、コの字状断面をなす本体片の端部に９０°折曲されて一対の開口片が対向状に形成され、各開口片には折り返し片がそれぞれ折り返して形成され、前記一対の開口片間に開口部が形成されてなる支柱に対し、側縁側に９０°折曲されて側縁片が形成され、側縁片の内側には折り返されて折り返し片が形成されてなる一対の壁パネルを連結する方法であって、シール片の表面側に外側に突出した鍔縁を有し、シール片の内端には折り返し鉤状に引っ掛け片が一体形成された目地材を、前記引っ掛け片を壁パネルの折り返し片に引っ掛けて、壁パネルの側縁片の外側に前記シール片を当接状態とさせて、予め一方側の壁パネルに取り付けておき、他方側の壁パネルの側縁片を前記支柱の開口部内側へ差し込み、該壁パネルの折り返し片を支柱の折り返し片に略直交状に当接させて、該他方側の壁パネルを支柱に取り付け、この状態で、目地材を予め取り付けた一方側の壁パネルの側縁片を前記支柱の開口部内に差し込み、該壁パネルの折り返し片を支柱の折り返し片に当接させて、前記一対の壁パネルの各側縁片間に前記目地材を挟み込ませることである。
【発明の効果】
【０００５】
本発明は、他方側の壁パネルを支柱に取り付け、この状態で、目地材を予め取り付けた一方側の壁パネルの側縁片を支柱の開口部内に差し込み、折り返し片を支柱の折り返し片に当接させて、一対の壁パネルの各側縁片間に目地材を挟み込ませることとしたため、一対の壁パネルを支柱に連結する作業と同時に、一方側の壁パネルの側縁片と他方側の壁パネルの側縁片間に目地材を挟み込ませて、連結作業と同時にシール作業を完了することができ、従来のように目地材をハンマーで叩き込む作業が不要となり、作業を効率良く良好に行えるものとなる。
また、壁パネルの連結作業は、壁パネルの表（室内）側から全て行うことができるため、壁パネルの裏側での作業が不要となり、施工が容易なものとなる。
【実施例】
【０００６】
以下、本発明の実施例を図面に基づいて説明する。
図１は、一対の壁パネルを支柱に連結した状態の要部拡大斜視構成図であり、図２及び図３は、連結の手順を示す平面構成図である。
壁パネル１Ａ及び１Ｂは、図２及び図３に示すように、ボードＢにパネルが一体化されており、側縁側には９０°折曲されて側縁片２が形成され、側縁片２の内側には折り返されて折り返し片３が形成されたものとなっている。
【０００７】
本例では、一対の壁パネル１Ａ，１Ｂを支柱８に連結するに際し、一方側の壁パネル１Ａの側縁部に予め目地材４を取り付けておくものであり、この目地材４は図２に示すようにシール片５を有し、このシール片５の表側は肉厚状に形成した肉厚部５ａが連続形成されており、その表面側が表面部６となっており、表面部６の両端縁は外側に突出した鍔縁６ａ，６ａとなっている。
また、シール片５の内端には折り返し鉤状に引っ掛け片７が一体形成されたものとなっており、この目地材４は塩化ビニール等の樹脂材で形成されており、前記引っ掛け片７を壁パネル１Ａの折り返し片３に引っ掛けて、側縁片２の外側にシール片５を当接状態で取り付けておく。
【０００８】
また、図３に示すように、支柱８はコの字状断面をなす本体片９の端部に９０°折曲されて一対の開口片１０ａ，１０ｂが対向状に形成され、各開口片１０ａ，１０ｂには折り返し片１１ａ，１１ｂがそれぞれ折り返して形成され、前記開口片１０ａ，１０ｂ間に開口部Ｋが形成されたものとなっている。
【０００９】
図３に示すように、他方側の壁パネル１Ｂを予め支柱８に取り付けておく。即ち、開口部Ｋから壁パネル１Ｂの側縁片２を内側へ差し込み、折り返し片３を支柱８の折り返し片１１ａに対し略直交状に当接させた状態としておき、この状態で、前記目地材４を予め取り付けた一方側の壁パネル１Ａの側縁片２を開口部Ｋ内に図３のように差し込み、壁パネル１Ａの折り返し片３を支柱８の折り返し片１１ｂに略直交状に当接させて、図１に示すように取り付けることができ、この状態では前記目地材４のシール片５及び肉厚部５ａは一対の壁パネル１Ａ，１Ｂの各側縁片２，２間に挟み込まれることとなり、良好に一対の壁パネル１Ａ，１Ｂ間をシールすることができ、図１に示すように、目地材４の表面部６が表側に露出して鍔縁６ａ，６ａがそれぞれ壁パネル１Ａ，１Ｂの側縁片２，２の表面側に跨がった状態となり、表面側からは連結部にこの目地材４の表面部６がスッキリとした状態で露出して見栄え性が良好なものとなり、連結状態におけるシールが確実に成されていることを表面側から視認して、シール性の安心感を得ることができるものとなり、鍔縁６ａ，６ａが強固に壁パネル１Ａ，１Ｂに当接して表面側からの水の侵入を確実に防ぎ、かつシール片５及び肉厚部５ａが挟み付けられて強固なシール性を得ることができるものであり、一対の壁パネル１Ａ，１Ｂを連結する連結作業と同時にシール作業を完了することができ、従来のように、連結後にシリコンを塗布する必要がなく、施工が容易となり、また、連結部の表面に前述した如く目地材４の表面部６が直線状に露出して、良好な意匠性を確保することができるものとなる。
【図面の簡単な説明】
【００１０】
【図１】一対の壁パネルを支柱に目地材を挟み込んだ状態で連結した状態の要部拡大斜視構成図である。
【図２】片側の壁パネルに予め目地材を取り付ける状態の平面構成図である。
【図３】他方側の壁パネルを予め支柱に取り付けておいた状態で、一方側の壁パネルを支柱に差し込む状態の平面構成図である。
【符号の説明】
【００１１】
１Ａ，１Ｂ  壁パネル
２  側縁片
３  折り返し片
４  目地材
５  シール片
５ａ  肉厚部
６  表面部
６ａ  鍔縁
７  引っ掛け片
８  支柱
１０ａ，１０ｂ  開口片
１１ａ，１１ｂ  折り返し片
Ｋ  開口部
【図１】
0003721472.tif 000002
【図２】
0003721472.tif 000003
【図３】
0003721472.tif 000004